(57)【特許請求の範囲】
【請求項１】
予備の開く力を持つプレス開け型保存装置であって、手持ち式又は機関挟み式で粒状、粉状、ゲル状態又は液状の内容物が入る円筒形、円筒形近似又は多面円筒形の中空容器であり、
円筒形というのは便利に手で握ること又は機関で挟むために製作され、外部構造に加圧してキャップを開ける力の受け面及び前記内容物の釈放口の位置についてはそれぞれ円筒の前記中空容器の前記外部構造の軸両端に設けられ、
前記キャップは前記内容物の前記釈放口と繋がり、一端の前記力受け面から加圧されることで他端の前記キャップは開いて前記内容物を釈放させ、又は、手でもう一端の前記キャップを開けて前記力受け面から加圧し、前記内容物を釈放させ、或いは、直接に前記内容物を出し、
開いた状態の前記キャップと前記外部構造とが離れないために、前記キャップと前記保存装置との間にたわみ性シール構造があり、前記キャップと外部とが相対的に安定関係を持つことは、前記キャップが前記保存装置に対して封鎖状態にあるときに、両者を維持する前記シール構造が曲げられ、開く方向への予備状態になり、前記キャップが圧されて開いた後、前記キャップを開いた安定状態にすることが可能であり、その主な構造は、
前記外部構造（１０１）は、プラスチック或いは金属で作られた手持ち式又は機関挟み式の円筒形、円筒形近似又は多面円筒形の中空容器であり、粒状、粉状、ゲル状態又は液状の前記内容物（１０７）が入り、前記外部構造（１０１）の軸方向の下に前記釈放口（１０５）があり、前記釈放口（１０５）と前記キャップ（１０２）とが繋がるときに閉鎖状態になり、前記キャップ（１０２）が開くと、前記内容物（１０７）が釈放されるものであり、前記中空容器の前記外部構造は前記たわみ性シール構造（１０３）と繋がることにより、前記キャップ（１０２）が常態のとき、前記キャップ（１０２）は開く状態に維持され、前記釈放口（１０５）と繋がるとき、開く方向に予備力状態になるものであり、前記中空容器の前記外部構造は軸方向の上に必要に応じて力受け構造（１０４）を設けることが可能であり、手持ち又は機関で挟むときに、前記力受け構造（１０４）が外部の圧力を受け、前記キャップ（１０２）が加圧され、前記内容物が釈放され、又は、手で前記キャップ（１０２）を開け、前記力受け面の加圧により前記内容物を出し、又は、直接に前記内容物を出し、
前記キャップ（１０２）は、前記外部構造（１０１）下の前記釈放口（１０５）と対応して設置され、両者は結合して閉鎖状態になり、前記力受け構造（１０４）が外部の圧力を受けるときに、前記キャップ（１０２）が圧力を受けて前記釈放口（１０５）から離れ、前記内容物を釈放するものであり、或いは、手で前記キャップを開け、前記力受け面に圧力を加えて前記内容物を釈放するものであり、或いは、直接に前記内容物を出させるものであり、前記キャップ（１０２）と前記外部構造（１０１）との閉鎖結合方式は詰め込んで入ること、嵌めること、かぶせること、くっつくこと、融合することなどがあり、又は、付属部品により挟むことで閉鎖結合し、
上記のように前記キャップ（１０２）と前記外部構造（１０１）との前記釈放口（１０５）が閉鎖結合する定義については、全閉鎖状態又は半閉鎖状態を含み、前記外部構造（１０１）に充填する前記内容物の性質か保存の必要によるものであり、
前記たわみ性シール構造（１０３）は、たわみ性を持つもので構成するシール状たわみ維持構造であり、前記外部構造（１０１）と前記キャップ（１０２）との間に連結させ、前記外部構造（１０１）と前記キャップ（１０２）とが繋がる状態は前記キャップ（１０２）が前記外部構造（１０１）下の前記釈放口（１０５）に結合することにより、前記容器の前記外部構造（１０１）が閉鎖状態になるとき、前記たわみ性シール構造（１０３）が曲がる状態になって、外へ開くという予備力状態になることであり、前記キャップ（１０２）が前記外部構造（１０１）から離れるとき、前記たわみ性シール構造（１０３）のたわみ性予備力が前記キャップ（１０２）を開けることに協力し、前記外部構造（１０１）下の前記釈放口（１０５）が開いた安定状態になることにより、前記内容物（１０７）の釈放に有利になり、前記キャップ（１０２）を前記たわみ性シール構造（１０３）により前記外部構造（１０１）に維持して落ちないようにすることを特徴とする予備の開く力を持つプレス開け型保存装置。
【請求項２】
予備の開く力を持つプレス開け型保存装置であって、前記外部構造（１０１）と前記キャップ（１０２）及び前記たわみ性シール構造（１０３）との構造上の関係は、
１．前記たわみ性シール構造（１０３）と前記キャップ（１０２）と前記外部構造（１０１）とは同じ材料を使って一体になるものであり、又は、
２．前記キャップ（１０２）と前記たわみ性シール構造（１０３）とは同じ材料を使って一体になるものであり、また、同じ材料で構成された前記外部構造（１０１）と結合させるものであり、又は、
３．前記キャップ（１０２）と前記たわみ性シール構造（１０３）とは同じ材料を使って一体になるものであり、また、異なる材料で構成された前記外部構造（１０１）と結合させるものであり、又は、
４．前記外部構造（１０１）と前記たわみ性シール構造（１０３）とは同じ材料を使って一体になるものであり、また、同じ材料で構成された前記キャップ（１０２）と結合させるものであり、又は、
５．前記外部構造（１０１）と前記たわみ性シール構造（１０３）とは同じ材料を使って一体になるものであり、また、異なる材料で構成された前記キャップ（１０２）と結合させるものであり、又は、
６．前記外部構造（１０１）と前記キャップ（１０２）と前記たわみ性シール構造（１０３）とは同じ材料を使い、それぞれに作られてから結合するものであり、又は、
７．前記外部構造（１０１）と前記キャップ（１０２）と前記たわみ性シール構造（１０３）とは異なる材料を使い、それぞれに作られてから結合するものであることを特徴とする請求項１記載の予備の開く力を持つプレス開け型保存装置。
【請求項３】
予備の開く力を持つプレス開け型保存装置であって、前記外部構造（１０１）と前記キャップ（１０２）との結合する方式及び前記キャップ（１０２）と前記たわみ性シール構造（１０３）との結合する方式は、融合すること、くっつくこと、リベットで締めること、機関属性の嵌めること、かぶせること、付属部品で合わせること又は縫い合わせることにより結合する方式を含むことを特徴とする請求項２記載の予備の開く力を持つプレス開け型保存装置。
【請求項４】
予備の開く力を持つプレス開け型保存装置であって、前記力受け構造（１０４）の前記力受け面は前記外部構造（１０１）より柔らかいたわみ性材料で構成した前記力受け構造で前記外部構造（１０１）と結合するものであり、或いは、前記外部構造（１０１）と同じ材質の材料で構成され、薄いたわみ性構造で構成された前記力受け構造（１０４）で前記外部構造（１０１）と結合するものであり、又は、たわみ性のある構造形状で前記力受け構造（１０４）に形成され、前記外部構造（１０１）と結合するものであり、又は、前記力受け構造（１０４）が前記外部構造（１０１）と同じ材質の材料で構成されるものであり、それらは前記外部構造（１０１）と同じ材料で一体に作られ、或いは、それぞれ製造されてから結合されるものであり、或いは、異なる材質で製造されてから結合されるものであることを特徴とする請求項１記載の予備の開く力を持つプレス開け型保存装置。
【請求項５】
予備の開く力を持つプレス開け型保存装置であって、前記力受け構造（１０４）は内部の推進構造（１０６）により構成され、前記外部構造（１０１）より柔らかいたわみ性材料で構成した前記力受け構造（１０４）により前記外部構造（１０１）の上部に結合し、前記力受け構造（１０４）が前記外部構造（１０１）の内部に結合して前記キャップ（１０２）の方向に向き、前記推進構造（１０６）を伸ばし、前記力受け構造（１０４）が圧力を受けるときに、前記推進構造（１０６）が前記キャップ（１０２）に推進され、それをタッチして前記外部構造（１０１）の前記釈放口（１０５）に結合した前記キャップ（１０２）を動かす機能があり、前記キャップ（１０２）が前記キャップ（１０２）と前記外部構造（１０１）とを維持する前記たわみ性シール構造（１０３）の予備力により開くことが可能であり、圧力が消えてから、前記キャップ（１０２）を開いた状態に維持し、前記外部構造（１０１）の内部に充填する前記内容物（１０７）の釈放を有利にするものであることを特徴とする請求項１記載の予備の開く力を持つプレス開け型保存装置。
【請求項６】
予備の開く力を持つプレス開け型保存装置であって、前記力受け構造（１０４）と前記外部構造（１０１）とは同じ材質或いは異なる材質により構成可能であり、
１．前記力受け構造（１０４）と前記外部構造（１０１）とは同じ材料で一体に構成され、或いは、
２．前記力受け構造（１０４）と前記外部構造（１０１）とは同じ材料で別々に製造されてから結合したものであり、或いは、
３．前記力受け構造（１０４）と前記外部構造（１０１）とは異なる材料で作られてから結合したものであることを特徴とする請求項４又は請求項５記載の予備の開く力を持つプレス開け型保存装置。
【請求項７】
予備の開く力を持つプレス開け型保存装置であって、前記力受け構造（１０４）は慣用のピストン式構造で構成可能であり、推進式のピストン構造（１０８）を設け、前記ピストン構造（１０８）が力を受けて推進するときに、前記外部構造（１０１）に充填された粒状、粉状、ゲル状態又は液状の前記内容物（１０７）へ圧力を加えることにより、前記キャップ（１０２）を開け、前記たわみ性シール構造（１０３）の予備力により前記キャップ（１０２）を開いた状態に維持して落ちないようにするものであることを特徴とする請求項１記載の予備の開く力を持つプレス開け型保存装置。
【請求項８】
予備の開く力を持つプレス開け型保存装置であって、前記力受け構造（１０４）は慣用のピストン式構造により構成可能であり、推進式のピストン構造（１０８）を設ける以外に、前記ピストン構造（１０８）の前記キャップ（１０２）を迎える方向に沿って推進構造（１０６）を設け、前記ピストン構造（１０８）が力を受けて推進するとき、前記推進構造（１０６）が前記キャップ（１０２）を動かし、前記たわみ性シール構造（１０３）の予備力により前記キャップ（１０２）を開いた状態に維持して落ちないようにするものであることを特徴とする請求項１記載の予備の開く力を持つプレス開け型保存装置。
【請求項９】
予備の開く力を持つプレス開け型保存装置であって、独立に使える装置であり、前記外部構造の内部に液状かゲル状態の前記内容物（１０７）を充填し、前記外部構造が人の手で握られ、又は、機関で挟まれ、外力により前記力受け構造（１０４）に圧力を加えるとき、前記力受け構造（１０４）が加圧されて変形するときに生まれた内部圧力で前記キャップ（１０２）を開け、前記キャップ（１０２）は前記キャップ（１０２）と前記外部構造（１０１）とを維持する前記たわみ性シール構造（１０３）の予備力により開き、圧力が消えてから、前記キャップ（１０２）を安定した開いた状態に維持し、不特定の開放空間に前記外部構造（１０１）の前記内容物（１０７）を釈放するものであり、前記たわみ性シール構造（１０３）の予備力により前記キャップ（１０２）を開いた状態に維持して落ちないようにすることを特徴とする請求項１記載の予備の開く力を持つプレス開け型保存装置。
【請求項１０】
予備の開く力を持つプレス開け型保存装置であって、独立に使える装置であり、前記力受け構造（１０４）は内部に設置する推進構造（１０６）により構成可能であり、前記外部構造（１０１）より柔らかいたわみ性のある材料で前記力受け構造（１０４）を作り、前記外部構造（１０１）の上部に結合し、前記力受け構造（１０４）が前記外部構造（１０１）の内部に結合して前記キャップ（１０２）の方向に向き、推進構造（１０６）を持って、前記外部構造の内部に粒状、粉状、ゲル状態又は液状の前記内容物（１０７）を充填し、前記外部構造が人の手で握られるとき、又は、機関で挟まれ、人の手或いは外力により前記力受け構造（１０４）に圧力を加えるときに、前記推進構造（１０６）が前記キャップ（１０２）に推進され、それをタッチして前記外部構造（１０１）の前記釈放口（１０５）に結合した前記キャップ（１０２）を動かし、前記キャップ（１０２）が前記キャップ（１０２）と前記外部構造（１０１）とを維持する前記たわみ性シール構造（１０３）の予備力により開くことが可能であり、圧力が消えてから、前記キャップ（１０２）を開いた状態に維持し、不特定の開放空間に前記外部構造（１０１）の前記内容物（１０７）を釈放するものであり、前記たわみ性シール構造（１０３）の予備力により前記キャップ（１０２）を開いた状態に維持して落ちないようにすることを特徴とする請求項１記載の予備の開く力を持つプレス開け型保存装置。
【発明の詳細な説明】
【技術分野】
【０００１】
本発明は一種のキャップであり、それは予備の開く力を持つプレス開け型保存装置であって、手持ち式又は機関挟み式で粒状、粉状、ゲル状態又は液状の内容物が入る円筒形、円筒形近似又は多面円筒形の中空容器である。円筒形というのは便利に手で握ること又は機関で挟むために製作され、外部構造に加圧してキャップを開ける力受け面及び内容物の釈放口の位置については、それぞれ円筒の中空容器の外部構造の軸両端に設けられる。キャップについては、内容物の釈放口と繋がり、一端の力受け面から加圧されることにより、もう一端のキャップを開け、内容物を釈放させ、又は、手でもう一端のキャップを開け、力受け面から加圧して内容物を釈放させ、或いは、直接に内容物を出させる。開いた状態のキャップと外部構造とが離れないために、キャップと保存装置との間にたわみ性シール構造がある。キャップと外部とが相対的に安定関係を持つことは、キャップが保存装置に対して封鎖状態にあるときに、両者を維持するシール構造が曲げられ、開く方向への予備状態になり、キャップが圧されて開いた後、キャップを開いた安定状態にさせることのできるものである。中空容器の外部構造の内部の内容物の釈放を妨害しないように、キャップを開けてから、外部構造と離れないように、釈放物に混ぜないようにし、回収にも有利であることは、本発明の創造性、進歩性設計にあるところである。
【背景技術】
【０００２】
従来の手持ち式又は機関挟み式は、粒状、粉状、ゲル状態又は液状の内容物が入ることであり、通常は、キャップは独立した設置であり、少なくとも下記のような欠点がある。
（１）開けてから容器とキャップは別々になり、回収が不便である。或いは、（２）加圧釈放方式は横から加圧すると、受ける面が広くて錯誤になる。或いは、（３）キャップが開いてから、外部構造との位置関係は不安定であり、内容物の釈放を妨害する。
【０００３】
従来のプレス開け型保存装置は、以下の三つの方式を含み、相対的な欠点がある。
１．加圧開け型キャップは、圧力を受けてから、保存装置と離れ、内容物が入る。
２．加圧開け型キャップは、圧力を受けて開いてから、離れて不完全になり、圧力が消えると、キャップは弾かれて元に戻り、内容物の釈放を妨害する。
３．加圧開け型キャップは、外部からの瞬間の圧力により保存装置を変形させ、キャップが開くと、キャップの圧力を受ける部分が開き、圧力は釈放され、キャップが弾かれて元に戻る。
【発明の開示】
【発明が解決しようとする課題】
【０００４】
本発明は、予備の開く力を持つプレス開け型保存装置であって、手持ち式又は機関挟み式で粒状、粉状、ゲル状態又は液状の内容物が入る円筒形、円筒形近似又は多面円筒形の中空容器である。円筒形というのは、便利に手で握ること又は機関で挟むために製作されている。外部構造に加圧してキャップを開ける力受け面及び内容物の釈放口の位置については、それぞれ円筒の中空容器の外部構造の軸両端に設けられる。キャップについては、内容物の釈放口と繋がり、一端の力受け面から加圧されることで、もう一端のキャップを開け、内容物を釈放する。又は、手でもう一端のキャップを開け、力受け面から加圧して内容物を釈放させ、或いは、直接に内容物を出す。開いた状態のキャップと外部構造とが離れないために、キャップと保存装置との間にたわみ性シール構造がある。キャップと外部構造とが相対的に安定関係を持つことは、キャップが保存装置に対して封鎖状態にあるときに、両者を維持するシール構造が曲げられ、開く方向への予備状態になる。キャップが圧されて開いた後、キャップを開いた安定状態にさせることができる。中空容器の外部構造の内部の内容物の釈放を妨害しないように、キャップを開けてから、外部構造と離れないように、釈放物に混ぜないようにし、回収にも有利である。
【課題を解決するための手段】
【０００５】
本発明は、予備の開く力を持つプレス開け型保存装置であり、キャップと保存装置の一端に繋げるためのたわみ性シール構造があり、その相対的に安定な関係はキャップが保存装置に対して閉鎖になるときに、シール構造が曲げられ、開く方向への予備状態になり、キャップが圧されて開いた後、キャップを開いた安定状態にさせることができる。
本発明は、予備の開く力を持つプレス開け型保存装置であって、手持ち式又は機関挟み式で粒状、粉状、ゲル状態又は液状の内容物が入る円筒形、円筒形近似又は多面円筒形の中空容器である。円筒形というのは便利に手で握ること又は機関で挟むために製作され、外部構造に加圧してキャップを開ける力受け面及び内容物の釈放口の位置については、それぞれ円筒の中空容器の外部構造の軸両端に設けられる。キャップについては、内容物の釈放口と繋がり、一端の力受け面から加圧されることにより、もう一端のキャップを開け、内容物を釈放させ、又は、手でもう一端のキャップを開け、力受け面から加圧して内容物を釈放させ、或いは、直接に内容物を出させる。開いた状態のキャップと外部構造とが離れないために、キャップと保存装置との間にたわみ性シール構造がある。キャップと外部構造とが相対的に安定関係を持つことは、キャップが保存装置に対して封鎖状態にあるときに、両者を維持するシール構造が曲げられ、開く方向への予備状態になり、キャップが圧されて開いた後、キャップを開いた安定状態にさせることのできるものである。中空容器の外部構造の内部の内容物の釈放を妨害しないように、キャップを開けてから、外部構造と離れないように、釈放物に混ぜないようにし、回収にも有利であることは本発明の創造性、進歩性設計にあるところである。
【発明を実施するための最良の形態】
【０００６】
図１に示すのは、本発明の一実施形態による予備の開く力を持つプレス開け型保存装置の断面図である。
図１に示すものにおいて、その主な構造は、下記の通りである。
外部構造１０１は、プラスチック或いは金属で作られた手持ち式又は機関挟み式の円筒形、円筒形近似又は多面円筒形の中空容器である。粒状、粉状、ゲル状態又は液状の内容物１０７が入るためである。外部構造１０１軸方向の下に釈放口１０５があり、釈放口１０５とキャップ１０２とが繋がるときに閉鎖状態になり、キャップ１０２が開くと、内容物１０７を釈放する。中空容器の外部構造はたわみ性シール構造１０３と繋がることにより、キャップ１０２が常態のとき、キャップ１０２を開いた状態に維持して、釈放口１０５と繋がるときに、開く方向に予備力状態になる。中空容器の外部構造は軸方向の上に必要に応じて力受け構造１０４を設けることができ、それは手持ち又は機関で挟むときに、力受け構造１０４が外部の圧力を受け、キャップ１０２に加圧され、内容物が釈放され、又は、手でキャップ１０２を開け、力受け面の加圧により内容物を出し、又は、直接に内容物を出す。
【０００７】
キャップ１０２は、外部構造１０１下の釈放口１０５と対応するために設置され、両者は結合する閉鎖状態になる。力受け構造１０４が外部の圧力を受けるときに、キャップ１０２が圧力を受けて釈放口１０５から離れて内容物を釈放する。或いは、手でキャップを開け、力受け面に圧力を加えて内容物を釈放するものである。或いは、直接に内容物を出させるものである。キャップ１０２と外部構造１０１との閉鎖結合方式は、（１）詰め込んで入ること、（２）嵌めること、（３）かぶせること、（４）くっつくこと、（５）融合することなどがある。又は、付属部品により挟むことで閉鎖結合する。
上記のように、キャップ１０２と外部構造１０１との釈放口１０５が閉鎖結合する定義については、全閉鎖状態又は半閉鎖状態を含み、外部構造１０１に充填する内容物の性質か保存の必要によるものである。
【０００８】
たわみ性シール構造１０３は、たわみ性を持つもので構成するシール状たわみ維持構造であり、外部構造１０１とキャップ１０２との間に連結させる。外部構造１０１とキャップ１０２とが繋がる状態は、キャップ１０２が外部構造１０１下の釈放口１０５に結合することにより、容器の外部構造１０１が閉鎖状態になるとき、たわみ性シール構造１０３が曲がる状態になり、外へ開くという予備力状態になる。キャップ１０２が外部構造１０１から離れるとき、たわみ性シール構造１０３のたわみ性予備力がキャップ１０２を開けることに協力し、外部構造１０１下の釈放口１０５が開いた安定状態になることにより、内容物１０７の釈放に有利になり、キャップ１０２をたわみ性シール構造１０３により外部構造１０１に維持して落ちないようにする。
【０００９】
予備の開く力を持つプレス開け型保存装置は、外部構造１０１とキャップ１０２及びたわみ性シール構造１０３との構造上の関係は、下記の通りである。
（１）たわみ性シール構造１０３とキャップ１０２と外部構造１０１とは、同じ材料を使って一体になるものである。
（２）又は、キャップ１０２とたわみ性シール構造１０３とは、同じ材料を使って一体になるものである。また、同じ材料で構成された外部構造１０１と結合させるものである。
【００１０】
（３）又は、キャップ１０２とたわみ性シール構造１０３とは、同じ材料を使って一体になるものである。また、異なる材料で構成された外部構造１０１と結合させるものである。
（４）又は、外部構造１０１とたわみ性シール構造１０３とは、同じ材料を使って一体になるものである。また、同じ材料で構成されたキャップ１０２と結合させるものである。
（５）又は、外部構造１０１とたわみ性シール構造１０３とは、同じ材料を使って一体になるものである。また、異なる材料で構成されたキャップ１０２と結合させるものである。
【００１１】
（６）又は、外部構造１０１とキャップ１０２とたわみ性シール構造１０３とは、同じ材料を使い、それぞれに作られてから結合するものである。
（７）又は、外部構造１０１とキャップ１０２とたわみ性シール構造１０３とは、異なる材料を使い、それぞれに作られてから結合するものである。
外部構造１０１とキャップ１０２との結合する方式及びキャップ１０２とたわみ性シール構造１０３との結合する方式は、融合すること、くっつくこと、リベットで締めること、機関属性の嵌めること、かぶせること、付属部品で合わせること又は縫い合わせることにより結合する方式を含む。
【００１２】
この装置の力受け構造１０４は、必要に応じて下記のように配置することができる。
１．力受け構造１０４の力受け面は外部構造１０１より柔らかいたわみ性材料で構成した力受け構造で外部構造１０１と結合するものであり、或いは、外部構造１０１と同じ材質の材料で構成され、より薄いたわみ性構造で構成された力受け構造１０４で外部構造１０１と結合するものであり、又は、よりたわみ性のある構造形状で力受け構造１０４に形成され、外部構造１０１と結合するものであり、又は、力受け構造１０４が外部構造１０１と同じ材質の材料で構成されるものである。それらは、外部構造１０１と同じ材料で一体に作られ、或いは、それぞれ製造されてから結合させるものであり、或いは、異なる材質で製造されてから結合させるものである。外部構造の内部に液状かゲル状の内容物１０７を充填する際に、力受け構造１０４が圧力を受けて変形するときに生まれた内部圧力によりキャップ１０２を開け、キャップ１０２がキャップ１０２と外部構造１０１とを維持するたわみ性シール構造１０３の予備力により開く。圧力が消えてから、キャップ１０２を開いた状態に維持して、外部構造１０１内部に充填する内容物１０７の釈放を有利にする。図２に示すのは、図１の力受け構造が外部構造より柔らかい材料で構成される状態を示す断面図である。図３に示すのは、図２の外部構造の力受け構造が圧力を受けて内容物を釈放する状態を示す断面図である。
【００１３】
２．力受け構造１０４は内部の推進構造１０６により構成され、外部構造１０１より柔らかいたわみ性材料で構成した力受け構造１０４により外部構造１０１上部に結合する。力受け構造１０４が外部構造１０１の内部に結合し、キャップ１０２の方向に向き、推進構造１０６を伸ばす。力受け構造１０４が圧力を受けるときに、推進構造１０６がキャップ１０２に推進され、それをタッチして外部構造１０１の釈放口１０５に結合したキャップ１０２を動かす機能がある。キャップ１０２はキャップ１０２と外部構造１０１とを維持するたわみ性シール構造１０３の予備力により開くことができ、圧力が消えてから、キャップ１０２を開いた状態に維持して、外部構造１０１内部に充填する内容物１０７の釈放を有利にする。図４に示すのは、図２における力受け構造が外部構造に結合してキャップの方向に向き、伸ばし性のある推進構造を示す断面図である。図５に示すのは、図４の実施形態において外部構造が力を受けて内容物を釈放する状態を示す断面図である。
【００１４】
上記の開く予備力を持つプレス開け型保存装置の力受け構造１０４と外部構造１０１とは同じ材質又は異なる材質により構成でき、それは下記の通りである。
（１）力受け構造１０４と外部構造１０１とは、同じ材料で一体に構成されている。
（２）或いは、力受け構造１０４と外部構造１０１とは、同じ材料で別々に製造されてから結合したものである。
（３）或いは、力受け構造１０４と外部構造１０１とは、異なる材料で作られてから結合したものである。
【００１５】
３．力受け構造１０４は慣用のピストン式構造で構成でき、推進式ピストン構造１０８を設ける。ピストン構造１０８が力を受けて推進するときに、外部構造１０１に充填された粒状、粉状、ゲル状態又は液状の内容物１０７へ圧力を加えることにより、キャップ１０２を開け、たわみ性シール構造１０３の予備力によりキャップ１０２を開いた状態に維持して落ちないようにする。図６に示すのは、図１の力受け構造がピストン式構造で構成された状態を示す断面図である。図７に示すのは、図６の外部構造の力受け構造が圧力を受けて内容物を釈放した状態を示す断面図である。
【００１６】
４.力受け構造１０４は慣用のピストン式構造により構成でき、推進式ピストン構造１０８を設ける以外に、ピストン構造１０８がキャップ１０２を迎える方向に沿って推進構造１０６を設ける。ピストン構造１０８が力を受けて推進するとき、推進構造１０６がキャップ１０２を動かし、たわみ性シール構造１０３の予備力によりキャップ１０２を開いた状態に維持して落ちないようにする。図８は、図６に示す構造の中の力受け構造が外部構造の内部において、キャップの方向に結合して推動構造を伸ばす状態を示す断面図である。図９は、図８において、外部構造の力受け構造が圧力を受けて内容物を釈放した状態を示す断面図である。
【００１７】
図１から図９に示すように、この装置について、外部構造１０１の力受け構造１０４に圧力を加えること及び対応する外部構造が場合に応じて下記の選択をすることができる。
１．この装置は独立に使える装置であり、外部構造の内部が液状かゲル状態の内容物１０７を充填し、外部構造が人の手で握られる又は機関で挟まれ、外力により力受け構造１０４に圧力を加えるとき、力受け構造１０４が加圧されて変形するときに生まれた内部圧力でキャップ１０２を開ける。キャップ１０２はキャップ１０２と外部構造１０１とを維持するたわみ性シール構造１０３の予備力により開き、圧力が消えてから、キャップ１０２を安定した開いた状態に維持して、不特定の開放空間に外部構造１０１の内容物１０７を釈放し、たわみ性シール構造１０３の予備力によりキャップ１０２を開いた状態に維持して落ちないようにする。
【００１８】
２．この装置は独立に使える装置であり、力受け構造１０４が内部に設置する推進構造１０６により構成でき、外部構造１０１より柔らかいたわみ性のある材料で力受け構造１０４を作り、外部構造１０１上部に結合し、力受け構造１０４が外部構造１０１の内部に結合してキャップ１０２の方向に向き、推進構造１０６を持つ。外部構造の内部に粒状、粉状、ゲル状態又は液状の内容物１０７を充填する。外部構造が人の手で握られるとき又は機関で挟まれ、人の手或いは外力により力受け構造１０４に圧力を加えるときに、推進構造１０６がキャップ１０２に推進され、それをタッチして外部構造１０１の釈放口１０５に結合したキャップ１０２を動かす。キャップ１０２がキャップ１０２と外部構造１０１とを維持するたわみ性シール構造１０３の予備力により開くことができ、圧力が消えてから、キャップ１０２を開いた状態に維持して、不特定の開放空間に外部構造１０１の内容物１０７を釈放し、たわみ性シール構造１０３の予備力によりキャップ１０２を開いた状態に維持して落ちないようにする。      
【００１９】
本実施形態は、より進んで、一種のキャップであり、それは予備の開く力を持つプレス開け型保存装置であり、手持ち式又は機関挟み式で粒状、粉状、ゲル状態又は液状の内容物が入る円筒形、円筒形近似又は多面円筒形の中空容器である。特定に便利に手で握ること又は機関で挟むために製作され、内容物の釈放口の位置については円筒の中空容器の軸における外部構造方向の一端に設置され、キャップについては内容物の釈放口と繋がり、手で一端のキャップを開け、力受け面から加圧して内容物を釈放し、或いは、直接に内容物を出させることに提供される。キャップと保存装置との間にたわみ性シール構造があり、開いた状態のキャップと外部構造とが離れないために、キャップと保存装置との間にたわみ性シール構造がある。キャップと外部構造とが相対的に安定関係を持つことは、キャップが保存装置に対して封鎖状態にあるときに、両者を維持するシール構造が曲げられ、開く方向への予備状態になり、キャップが圧されて開いた後、キャップを開いた安定状態にさせることができる。
【００２０】
図１０に示すのは、プレス開け型保存装置において、力受け構造を設けない保存装置を示す断面図である。
図１０に示す中の主な構成は、下記の通りである。
外部構造１０１は、プラスチック或いは金属で作られた手持ち式又は機関挟み式の円筒形、円筒形近似又は多面円筒形の中空容器である。粒状、粉状、ゲル状態又は液状の内容物１０７が入るためである。外部構造１０１軸方向の下に釈放口１０５があり、釈放口１０５とキャップ１０２とが繋がるときに閉鎖状態になり、キャップ１０２が開くと、内容物１０７が釈放される。中空容器の外部構造はたわみ性シール構造１０３と繋がることにより、キャップ１０２を開いた状態に維持して、釈放口１０５と繋がるときに開く方向に予備力状態になる。
【００２１】
外部構造１０１には力受け構造１０４を設けず、釈放口１０５がキャップ１０２を設置するためにあり、人の手でキャップ１０２を開ける。
キャップ１０２は、キャップ構造になり、外部構造１０１下の釈放口１０５と対応するために設置され、両者は結合する閉鎖状態になる。手でキャップを開け、力受け面に圧力を加えて内容物を釈放する。或いは、直接に内容物を出させる。キャップ１０２と外部構造１０１との閉鎖結合方式は、（１）詰め込んで入ること、（２）嵌めること、（３）かぶせること、（４）くっつくこと、（５）融合することなどがある。又は、付属部品により挟むことで閉鎖結合する。
【００２２】
上記のように、キャップ１０２と外部構造１０１との釈放口１０５が閉鎖結合する定義については、全閉鎖状態又は半閉鎖状態を含み、外部構造１０１に充填する内容物の性質か保存の必要によるものである。
たわみ性シール構造１０３は、たわみ性を持つもので構成するシール状たわみ維持構造であり、外部構造１０１とキャップ１０２との間に連結させる。その維持状態は、キャップ１０２が外部構造１０１下の釈放口１０５に結合することにより、容器の外部構造１０１が閉鎖状態になるとき、たわみ性シール構造１０３が曲がる状態になり、外へ開くという予備力状態になる。キャップ１０２が外部構造１０１から離れるとき、たわみ性シール構造１０３のたわみ性予備力がキャップ１０２を開けることに協力し、外部構造１０１下の釈放口１０５が開いた安定状態になることにより、内容物１０７の釈放に有利になり、キャップ１０２をたわみ性シール構造１０３により外部構造１０１に維持して落ちないようにする。
【００２３】
図１０に示すのは、本実施形態における保存装置の断面図であり、外部構造１０１とキャップ１０２とたわみ性シール構造１０３との構造上の関係は、下記の通りである。
（１）たわみ性シール構造１０３とキャップ１０２と外部構造１０１とは、同じ材料を使って一体になるものである。
（２）又は、キャップ１０２とたわみ性シール構造１０３とは、同じ材料を使って一体になるものである。また、同じ材料で構成された外部構造１０１と結合させるものである。
【００２４】
（３）又は、キャップ１０２とたわみ性シール構造１０３とは、同じ材料を使って一体になるものである。また、異なる材料で構成された外部構造１０１と結合させるものである。
（４）又は、外部構造１０１とたわみ性シール構造１０３とは、同じ材料を使って一体になるものである。また、同じ材料で構成されたキャップ１０２と結合させるものである。
【００２５】
（５）又は、外部構造１０１とたわみ性シール構造１０３とは、同じ材料を使って一体になるものである。また、異なる材料で構成されたキャップ１０２と結合させるものである。
（６）又は、外部構造１０１とキャップ１０２とたわみ性シール構造１０３とは、同じ材料を使い、それぞれに作られてから結合するものである。
（７）又は、外部構造１０１とキャップ１０２とたわみ性シール構造１０３とは、異なる材料を使い、それぞれに作られてから結合するものである。
【００２６】
外部構造１０１とキャップ１０２との結合する方式及びキャップ１０２とたわみ性シール構造１０３との結合する方式は、融合すること、くっつくこと、リベットで締めること、機関属性の嵌めること、かぶせること、付属部品で合わせること又は縫い合わせることにより結合する方式を含む。
以上により、本実施形態は、プレス開け型保存装置であり、キャップ１０２と保存装置との一端に維持用のたわみ性シール構造１０３が設けてあり、その相対安定関係はキャップ１０２が保存装置の釈放口１０５に対して閉鎖するときに、維持用のたわみ性シール構造１０３が曲げられ、開く方向の予備力状態になり、キャップ１０２が圧力を受けて開いてから、たわみ性シール構造１０３が予備力を釈放でき、キャップ１０２を安定的に開いた状態に維持する。
【図面の簡単な説明】
【００２７】
【図１】本発明の一実施形態による予備の開く力を持つプレス開け型保存装置を示す断面図である。
【図２】本発明の一実施形態による予備の開く力を持つプレス開け型保存装置の力受け構造が外部構造より柔らかい材料で構成された状態を示す断面図である。
【図３】本発明の一実施形態による予備の開く力を持つプレス開け型保存装置の力受け構造が圧力を受けて内容物を釈放する状態を示す断面図である。
【図４】本発明の一実施形態による予備の開く力を持つプレス開け型保存装置の力受け構造が外部構造のキャップの向く方向に繋がる推進構造を持つ状態を示す断面図である。
【図５】本発明の一実施形態による予備の開く力を持つプレス開け型保存装置の力受け構造が圧力を受けて内容物を釈放する状態を示す断面図である。
【図６】本発明の一実施形態による予備の開く力を持つプレス開け型保存装置の力受け構造がピストン式構造で構成された状態を示す断面図である。
【図７】本発明の一実施形態による予備の開く力を持つプレス開け型保存装置の力受け構造が圧力を受けて内容物を釈放する状態を示す断面図である。
【図８】本発明の一実施形態による予備の開く力を持つプレス開け型保存装置の力受け構造がキャップへ向く方向に繋がる推進構造を持つ状態を示す断面図である。
【図９】本発明の一実施形態による予備の開く力を持つプレス開け型保存装置の力受け構造が圧力を受けて内容物を釈放する状態を示す断面図である。
【図１０】本発明の一実施形態による予備の開く力を持つプレス開け型保存装置の力受け構造を設けない保存装置を示す断面図である。
【符号の説明】
【００２８】
１０１：外部構造、１０２：キャップ、１０３：たわみ性シール構造、１０４：力受け構造、１０５：釈放口、１０６：推進構造、１０７：内容物、１０８：ピストン構造
【図１】
0005255336.tif 000002
【図２】
0005255336.tif 000003
【図３】
0005255336.tif 000004
【図４】
0005255336.tif 000005
【図５】
0005255336.tif 000006
【図６】
0005255336.tif 000007
【図７】
0005255336.tif 000008
【図８】
0005255336.tif 000009
【図９】
0005255336.tif 000010
【図１０】
0005255336.tif 000011